(57)【特許請求の範囲】
【請求項１】
建物内に構築された通信ネットワークに設備機器が接続され、その設備機器の運転制御を実行する建物の機器制御システムにおいて、
ユーザ識別情報を記憶する携帯通信デバイスがデバイス装着装置に装着された状態で、前記携帯通信デバイスから前記ユーザ識別情報を取得する情報取得手段と、
前記情報取得手段から取得したユーザ識別情報を基にユーザを特定するとともに、その特定したユーザについて、前記通信ネットワーク上で使用可能となるネットワークユーザ情報を生成する情報生成手段と、
を備え、
前記情報生成手段により生成したネットワークユーザ情報を基に、前記設備機器の運転制御を実行することを特徴とする建物の機器制御システム。
【請求項２】
前記情報生成手段は、前記ネットワークユーザ情報を生成する際、前記携帯通信デバイスに記憶されているユーザ識別情報を無効化する請求項１に記載の建物の機器制御システム。
【請求項３】
前記携帯通信デバイスを前記デバイス装着装置から離脱させる際に、前記ネットワークユーザ情報を無効化するとともに、その無効化するネットワークユーザ情報に対応するユーザ識別情報を前記携帯通信デバイスに再登録する再登録手段を備える請求項２に記載の建物の機器制御システム。
【請求項４】
複数の携帯通信デバイスを使用可能とするシステムであり、
前記再登録手段は、前記複数の携帯通信デバイスから１つの携帯通信デバイスを選択し、その選択した携帯通信デバイスに対して前記ユーザ識別情報の再登録を実行する請求項３に記載の建物の機器制御システム。
【請求項５】
建物内において前記デバイス装着装置とは異なる場所に設置される複数の中継装置を前記通信ネットワークに接続し、その中継装置により、同一の部屋又は同一エリア内に存在する設備機器の運転状態を制御する機器制御システムであり、
前記中継装置が設けられた部屋又はエリアのいずれかをユーザの移動先であると指定する移動先指定手段と、
前記移動先指定手段により指定された部屋又はエリアの中継装置に対して、前記設備機器の運転に関する現時点以前の履歴情報を送信する履歴情報送信手段と、
を備え、
前記中継装置は、前記ネットワークユーザ情報が有効となっている状態で、前記履歴情報送信手段により送信される履歴情報に基づいて設備機器の運転状態を制御する請求項１乃至４のいずれか１つに記載の建物の機器制御システム。
【請求項６】
前記中継装置は、ユーザの移動先である指定を受けた後、同一の部屋又は同一エリア内に存在する設備機器を待機運転させる請求項５に記載の建物の機器制御システム。
【請求項７】
前記携帯通信デバイスは、前記デバイス装着装置に対して未装着の状態で、前記設備機器の運転に関する情報を記憶保持可能であり、
前記履歴情報は、前記携帯通信デバイスが前記デバイス装着装置に装着された状態で、前記携帯通信デバイスから取得される情報である請求項５又は６に記載の建物の機器制御システム。
【請求項８】
前記履歴情報は、ユーザの移動元の部屋又はエリアに設けられた前記中継装置から取得される情報である請求項５乃至７のいずれか１つに記載の建物の機器制御システム。
【請求項９】
前記移動先指定手段により指定した部屋又はエリアに既に他のユーザがいる場合には、前記他のユーザを優先して前記設備機器の制御を実行する請求項５乃至８のいずれか１つに記載の建物の機器制御システム。
【請求項１０】
前記移動先指定手段により指定した部屋又はエリアに既に他のユーザがいる場合には、あらかじめ定めたユーザごとの優先順位に基づいて前記設備機器の制御を実行する請求項５乃至８のいずれか１つに記載の建物の機器制御システム。
【請求項１１】
前記中継装置は、ユーザの生体情報を取得し、同生体情報に基づいてユーザの認証を行う生体認証手段を具備する請求項５乃至１０のいずれか１つに記載の建物の機器制御システム。
【請求項１２】
前記設備機器は、前記携帯通信デバイスの持ち込みが不適な環境の空間内に設けられた機器である請求項１乃至１１のいずれか１つに記載の建物の機器制御システム。
【請求項１３】
前記携帯通信デバイスを前記デバイス装着装置から離脱させる際に、前記デバイス装着装置側から前記携帯通信デバイスに対して、前記設備機器の運転に関する履歴情報を送信する請求項１乃至１２のいずれか１つに記載の建物の機器制御システム。
【発明の詳細な説明】
【技術分野】
【０００１】
本発明は、建物内に構築された通信ネットワークに設備機器を接続し、その設備機器の運転制御を実行する建物の機器制御システムに関するものである。
【背景技術】
【０００２】
従来から、携帯通信デバイスを用いて建物内の設備機器の運転制御を実行しようとする技術が各種提案されている。例えば、建物内に敷設されたホームネットワーク上に複数の中継装置を設けるとともに、その中継装置に双方向通信可能にネットワーク機器を接続したホームネットワークシステムにおいて、ユーザにより携帯され個人識別情報を保持する携帯通信デバイスから、個人識別情報等を中継装置が受信し、その受信結果に基づいてネットワーク機器の制御を実行するようにした技術が提案されている（例えば、特許文献１参照）。
【特許文献１】特開２００３−２４４７７６号公報
【発明の開示】
【発明が解決しようとする課題】
【０００３】
しかしながら、上述した従来技術では、建物内において携帯通信デバイスを持ち歩くことを条件に、移動先の部屋でネットワーク機器の自動運転が可能となる。したがって、建物内においてユーザが携帯通信デバイスを常に携帯しなければならず、面倒であるという不都合が生じる。
【０００４】
本発明は、携帯通信デバイスを持ち歩かなくても、建物内の設備機器をユーザに合わせて運転させることができ、利便性を大いに向上させることができる建物の機器制御システムを提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００６】
手段１．建物内に構築された通信ネットワークに設備機器（機器Ａ１〜Ａ３等）が接続され、その設備機器の運転制御を実行する建物の機器制御システムにおいて、
ユーザ識別情報（スマートユーザＩＤ）を記憶する携帯通信デバイス（スマートキー３０）がデバイス装着装置（スマートキーステーション４０）に装着された状態で、前記携帯通信デバイスから前記ユーザ識別情報を取得する情報取得手段と、
前記情報取得手段から取得したユーザ識別情報を基にユーザを特定するとともに、その特定したユーザについて、前記通信ネットワーク上で使用可能となるネットワークユーザ情報（ネットワークユーザＩＤ）を生成する情報生成手段と、
を備え、
前記情報生成手段により生成したネットワークユーザ情報を基に、前記設備機器の運転制御を実行することを特徴とする建物の機器制御システム。
【０００７】
手段１によれば、携帯通信デバイスがデバイス装着装置に装着された状態で、携帯通信デバイスに記憶されているユーザ識別情報を基にネットワークユーザ情報が生成され、そのネットワークユーザ情報を基に設備機器の運転制御が実行される。この場合、建物内において携帯通信デバイスをユーザが持ち歩かなくても、通信ネットワークを通じて設備機器の運転制御を実行することができる。ネットワークユーザ情報は、ユーザ識別情報と同様に、ユーザ個人を特定するものであり、当該ユーザに合わせた機器制御が実現できる。また、携帯通信デバイスを利用して建物内の設備機器の運転制御を実行しようとする場合、設備機器ごとに、携帯通信デバイスとの無線通信を可能とする無線通信機能を付加する等の必要が生じるが、本発明によれば、こうした付加的な構成を設けなくとも、所望とする設備機器の運転制御が実現できる。その結果、携帯通信デバイスを持ち歩かなくても、建物内の設備機器をユーザに合わせて運転させることができ、利便性を大いに向上させることができる。
【０００８】
手段２．前記情報生成手段は、前記ネットワークユーザ情報を生成する際、前記携帯通信デバイスに記憶されているユーザ識別情報を無効化する手段１に記載の建物の機器制御システム。
【０００９】
手段２によれば、ネットワークユーザ情報が生成された場合に、携帯通信デバイスに記憶されているユーザ識別情報が無効化され、これに伴い、携帯通信デバイスによる対応機器の無線操作等が不可となる。
【００１０】
要するに、携帯通信デバイスに記憶されるユーザ識別情報と、通信ネットワーク上で生成されるネットワークユーザ情報とはいずれも同一ユーザに関する情報であるが、それら各情報が同時に有効化されることが許容されると、情報管理が不十分になり、セキュリティ上の不都合が生じるおそれがある。例えば、仮にユーザ識別情報が有効なまま携帯通信デバイスが紛失したりしても、ネットワークユーザ情報が有効であればユーザがそれに気付かない可能性もある。この点、手段２によれば、ネットワークユーザ情報が生成される場合に携帯通信デバイスのユーザ識別情報が無効化されるため、同一ユーザを特定する２つの情報（ユーザ識別情報、ネットワークユーザ情報）が同時に有効になることはなく、情報管理が不十分になるといった不都合が解消される。
【００１１】
手段３．前記携帯通信デバイスを前記デバイス装着装置から離脱させる際に、前記ネットワークユーザ情報を無効化するとともに、その無効化するネットワークユーザ情報に対応するユーザ識別情報を前記携帯通信デバイスに再登録する再登録手段を備える手段２に記載の建物の機器制御システム。
【００１２】
手段３によれば、ネットワークユーザ情報が一旦生成された後に、再び携帯通信デバイスのユーザ識別情報を有効化する場合において、同一ユーザを特定する２つの情報（ユーザ識別情報、ネットワークユーザ情報）が同時に有効にならないようにすることができる。これにより、上記のとおり情報管理が不十分になるといった不都合が解消される。また、ユーザ識別情報を再登録する際、そのユーザ識別情報はネットワークユーザ情報に対応するものであるため、再登録後のユーザ識別情報を同一ユーザで不変（同一情報）にすることができる。これにより、ユーザ識別情報に付随する各種情報（ユーザが使用した機器の運転履歴等）を適正に使い回すことができる。例えば、ユーザが外出しようとしている場合には、携帯通信デバイスがデバイス装着装置から離脱され、上記のとおりユーザ識別情報の再登録（ダウンロード）が行われる。
【００１３】
手段４．複数の携帯通信デバイスを使用可能とするシステムであり、
前記再登録手段は、前記複数の携帯通信デバイスから１つの携帯通信デバイスを選択し、その選択した携帯通信デバイスに対して前記ユーザ識別情報の再登録を実行する手段３に記載の建物の機器制御システム。
【００１４】
手段４によれば、複数の携帯通信デバイスからユーザが望むものを選択して使用することが可能となる。例えば、形状、色、機能等が異なる複数の携帯通信デバイスが存在する場合に、ユーザ識別情報を変えることなく（すなわち、同一のユーザ識別情報を使いながら）、各携帯通信デバイスを都度使い分けることができる。このとき、入力操作装置へのユーザの選択操作に伴い携帯通信デバイスが選択されるとよい。
【００１５】
手段５．建物内において前記デバイス装着装置とは異なる場所に設置される複数の中継装置（中継操作盤５０）を前記通信ネットワークに接続し、その中継装置により、同一の部屋又は同一エリア内に存在する設備機器の運転状態を制御する機器制御システムであり、
前記中継装置が設けられた部屋又はエリアのいずれかをユーザの移動先であると指定する移動先指定手段と、
前記移動先指定手段により指定された部屋又はエリアの中継装置に対して、前記設備機器の運転に関する現時点以前の履歴情報を送信する履歴情報送信手段と、
を備え、
前記中継装置は、前記ネットワークユーザ情報が有効となっている状態で、前記履歴情報送信手段により送信される履歴情報に基づいて設備機器の運転状態を制御する手段１乃至４のいずれか１つに記載の建物の機器制御システム。
【００１６】
手段５によれば、ユーザが携帯通信デバイスをデバイス装着装置に装着した後に建物内を移動する場合において、移動先の部屋又はエリアに設けられた中継装置を使って、その移動先の部屋又はエリアの設備機器を好適に運転させることができる。この場合、移動先の部屋又はエリアでは、現時点以前の履歴情報に基づいて設備機器の運転状態が制御されるため、移動先でも移動元と同様の状態で設備機器を運転させることができる。例えば、照明器具の明るさを同じ明るさに調整したり、エアコン（空調装置）を同じ設定温度で運転させたり、テレビを同じ番組チャンネルとしたりすることができる。これにより、ユーザにとっての利便性を大いに向上させることができる。
【００１７】
なお、移動先指定手段は、入力操作装置へのユーザの選択操作に伴い移動先の部屋又はエリアを指定するとよい。又は、移動先指定手段は、あらかじめ定められたユーザの行動パターンに基づいて移動先の部屋又はエリアを指定するとよい。
【００１８】
手段６．前記中継装置は、ユーザの移動先である指定を受けた後、同一の部屋又は同一エリア内に存在する設備機器を待機運転させる手段５に記載の建物の機器制御システム。
【００１９】
手段６によれば、指定した部屋又はエリアにユーザが実際に移動する前に設備機器を待機状態で運転させることができる。これにより、移動先の部屋又はエリアにユーザが到着した時点で、すぐさま設備機器を所望の状態で運転させることが可能となり、快適性が高められる。例えば、待機運転として、移動先の部屋又はエリアの照明器具を低照度で点灯させたり、エアコンを準備運転させたりするとよい。
【００２０】
手段７．前記携帯通信デバイスは、前記デバイス装着装置に対して未装着の状態で、前記設備機器の運転に関する情報を記憶保持可能であり、
前記履歴情報は、前記携帯通信デバイスが前記デバイス装着装置に装着された状態で、前記携帯通信デバイスから取得される情報である手段５又は６に記載の建物の機器制御システム。
【００２１】
手段７によれば、デバイス装着装置に未装着の状態で、携帯通信デバイスによって設備機器の運転に関する情報が記憶保持される。そして、その情報が、移動先の部屋又はエリアの設備機器の運転に関する履歴情報として利用される。つまりこれにより、ユーザが携帯通信デバイスを携帯して使用し、その後、同携帯通信デバイスをデバイス装着装置に装着する場合において、デバイス携帯時と同じ状況で設備機器を運転させることが可能となる。
【００２２】
なお、例えば、自動車内に携帯通信デバイスを持ち込んでいる場合に車載エアコンの設定温度や、視聴していた楽曲を記憶し、その後、前記記憶した情報を携帯通信デバイスからデバイス装着装置や中継装置に送信する。これにより、自動車内から建物内などへユーザが移動しても、設備機器を好適に運転させることができる。
【００２３】
手段８．前記履歴情報は、ユーザの移動元の部屋又はエリアに設けられた前記中継装置から取得される情報である手段５乃至７のいずれか１つに記載の建物の機器制御システム。
【００２４】
手段８によれば、移動元の部屋又はエリアの中継装置から移動先の部屋又はエリアの中継装置に対して、その移動元の部屋又はエリアの設備機器についての運転状態を履歴情報として送信ことが可能となる。したがって、ユーザが建物内の部屋間を移動したりする場合に、移動先の部屋等で移動元の部屋等と同じ状況で設備機器を運転させることが可能となる。
【００２５】
手段９．前記移動先指定手段により指定した部屋又はエリアに既に他のユーザがいる場合には、前記他のユーザを優先して前記設備機器の制御を実行する手段５乃至８のいずれか１つに記載の建物の機器制御システム。
【００２６】
手段９によれば、複数のユーザが同じ部屋又はエリアにいる場合にも、設備機器を混乱無く制御することができる。上記構成では、該当する部屋等に先にいるユーザが優先されるため、その先のユーザが望む状態を維持することができる。
【００２７】
手段１０．前記移動先指定手段により指定した部屋又はエリアに既に他のユーザがいる場合には、あらかじめ定めたユーザごとの優先順位に基づいて前記設備機器の制御を実行する手段５乃至８のいずれか１つに記載の建物の機器制御システム。
【００２８】
手段１０によれば、複数のユーザが同じ部屋又はエリアにいる場合にも、設備機器を混乱無く制御することができる。上記構成では、優先上位のユーザを優先して設備機器を運転させることができ、その優先上位のユーザが望む状態を維持することができる。
【００２９】
手段１１．前記中継装置は、ユーザの生体情報を取得し、同生体情報に基づいてユーザの認証を行う生体認証手段を具備する手段５乃至１０のいずれかに記載の建物の機器制御システム。
【００３０】
手段１１によれば、中継装置が生体認証手段を具備する構成では、携帯通信デバイスを使わなくてもユーザの認証が可能となる。これにより、例えば移動先の部屋又はエリアにおいて中継装置を誰が操作したかを容易に特定できる。
【００３１】
手段１２．前記設備機器は、前記携帯通信デバイスの持ち込みが不適な環境の空間内に設けられた機器である手段１乃至１１のいずれか１つに記載の建物の機器制御システム。
【００３２】
例えば浴室やサウナルームは、高温多湿な環境であり、携帯通信デバイスの持ち込みが不適な環境の空間であると言える。ゆえに、携帯通信デバイスが例えば防水構造となっていなければ、浴室やサウナルームに同デバイスを持って入ることができない。この点、上記のとおり携帯通信デバイスをデバイス装着装置に装着した状態で設備機器の運転制御を実行できれば、携帯通信デバイスの持ち込みが不適な環境の空間であっても、同空間内の設備機器を好適に運転させることができる。
【００３３】
手段１３．前記携帯通信デバイスを前記デバイス装着装置から離脱させる際に、前記デバイス装着装置側から前記携帯通信デバイスに対して、前記設備機器の運転に関する履歴情報を送信する手段１乃至１２のいずれか１つに記載の建物の機器制御システム。
【００３４】
手段１３によれば、携帯通信デバイスをデバイス装着装置に装着した状態で使用した後に、これに代えて、ユーザが携帯通信デバイスを携帯して使用する場合において、建物内の設備機器の運転に関する履歴情報を建物外に持ち出すことができる。これにより、例えば、ユーザが携帯通信デバイスを自動車で使う場合に、前記履歴情報を当該自動車において利用することができる。
【発明を実施するための最良の形態】
【００３５】
（第１の実施形態）
以下、本発明を具体化した第１の実施形態を図面に基づいて説明する。本実施形態では、住宅の玄関ドアや自動車のドア等を遠隔操作により施解錠できるスマートキーシステムにおいて、同システムで使用されるスマートキーデバイス（携帯装置）を住宅内のネットワークシステムでも有効に使用し、住宅内機器等の運転状態等を好適に制御できるものとしている。図１は本システムの概要を示す構成図である。
【００３６】
図１のシステム構成図において、玄関ドアロック装置１０は、玄関ドアの施解錠制御を行う装置であり、アンテナや無線通信回路を有してなる無線部１１と、マイクロコンピュータ等を有してなる制御部１２と、電気錠装置を有してなる駆動部１３とを備えている。無線部１１は、ユーザにより携帯されるスマートキー３０との間で無線通信を可能とするものであり、玄関ドアを中心とする所定距離範囲内が通信エリアとなっている。制御部１２は、無線部１１により受信された受信情報に基づいてユーザ認証を行い、そのユーザ認証の結果に応じて駆動部１３を駆動させて玄関ドアの施解錠を実行する。
【００３７】
具体的には、玄関ドアロック装置１０は、無線部１１から定期的にリクエスト信号を送信し、これに対し、スマートキー３０は、リクエスト信号の受信エリアに進入した際にリクエスト信号に応答してスマートＩＤ信号（後述するデバイスＩＤやスマートユーザＩＤ）を送信する。そして、玄関ドアロック装置１０は、スマートキー３０から送信されるスマートＩＤ信号を受信すると、そのスマートＩＤが正規ＩＤかどうかを判定し、正規ＩＤであれば駆動部１３を駆動させて自動で玄関ドアの施錠又は解錠を実行する。
【００３８】
また、車両ドアロック装置２０は、車両ドアの施解錠制御を行う装置であり、アンテナや無線通信回路を有してなる無線部２１と、マイクロコンピュータ等を有してなる制御部２２と、電気錠装置を有してなる駆動部２３とを備えている。無線部２１は、ユーザにより携帯されるスマートキー３０との間で無線通信を可能とするものであり、車両ドアを中心とする所定距離範囲内が通信エリアとなっている。制御部２２は、無線部２１により受信された受信情報に基づいてユーザ認証を行い、そのユーザ認証の結果に応じて駆動部２３を駆動させて車両ドアの施解錠を実行する。
【００３９】
具体的には、車両ドアロック装置２０は、無線部２１から定期的にリクエスト信号を送信し、これに対し、スマートキー３０は、リクエスト信号の受信エリアに進入した際にリクエスト信号に応答してスマートＩＤ信号を送信する。そして、車両ドアロック装置２０は、スマートキー３０から送信されるスマートＩＤ信号を受信すると、そのスマートＩＤが正規ＩＤかどうかを判定し、正規ＩＤであれば駆動部２３を駆動させて自動で車両ドアの施錠又は解錠を実行する。
【００４０】
本実施形態では、上述した玄関ドアロック装置１０と車両ドアロック装置２０とがスマートキー対応機器に該当する。
【００４１】
スマートキー３０は、ユーザ（住宅の住人）ごとに所持されるキー型の携帯通信デバイス（小型携帯装置）であり、アンテナや無線通信回路を有してなる無線部３１と、各種情報を記憶するメモリ３２とを備えている。メモリ３２には、スマートキー３０ごとに設定されるキー固有情報（以下、「デバイスＩＤ」という）と、スマートキー３０を使用するユーザに合わせて設定されるユーザ識別情報（以下、「スマートユーザＩＤ」という）とが記憶されている。スマートキーＩＤは書き換え不可の固定ＩＤであるのに対し、スマートユーザＩＤは書き換え可能な可変ＩＤとなっている。すなわち、スマートユーザＩＤは、後述するスマートキーステーション４０からの書き換え要求に伴い適宜書き換えられるものとなっている。
【００４２】
また、スマートキー３０のメモリ３２には、同スマートキー３０を携帯して使用する最中に各種の情報が記憶されるようになっている。例えば、自動車内にスマートキー３０を持ち込んでいる場合に車載エアコンの設定温度や、視聴していた楽曲がスマートキー３０のメモリ３２に記憶される。これらの情報は、住宅内の設備機器を運転する際に利用される情報であり、「建物内機器の運転に関する情報」に相当する。
【００４３】
住宅内にはホームネットワークが構築されており、同ネットワークによるホームネットワークシステムとして、スマートキーステーション４０と、複数の中継操作盤５０と、各中継操作盤５０に接続される機器群Ａ，Ｂ，Ｃ等とが設けられている。スマートキーステーション４０と複数の中継操作盤５０とはネットワーク線Ｌ１により双方向に通信可能に接続され、中継操作盤５０と機器群Ａ〜Ｃの各機器とはネットワーク線Ｌ２により双方向に通信可能に接続されている。
【００４４】
スマートキーステーション４０は、スマートキー３０が装着（セット）されることで同スマートキー３０に対して電気的に接続され、その接続状態にて本ネットワークシステム上で使用するネットワークユーザ情報（以下、「ネットワークユーザＩＤ」という）の生成や、各種機器の自動制御等を実行するものとなっている。スマートキーステーション４０は、スマートキー３０との電気的な接続を行う接続端子部４１と、マイクロコンピュータ等を有してなる制御部４２と、タッチパネル等よりなる操作表示部４３と、スマートキー３０の電源部に対して充電を行う充電部４４とを備えている。
【００４５】
接続端子部４１は、スマートキーステーション４０のキー装着部にスマートキー３０が装着（セット）されることでスマートキー３０側の端子部に電気的に接続されるものであり、この端子部４１を通じてスマートユーザＩＤ等、各種情報の授受が行われる。制御部４２は、スマートキー３０や中継操作盤５０との間で行われる各種情報の授受や、中継操作盤５０に対する制御指令信号の出力などを実行する。
【００４６】
操作表示部４３は、タッチパネルディスプレイに操作メニューや住宅内の間取り図を表示するとともに、そのタッチパネルディスプレイの画面タッチに伴いユーザによる入力操作を受け付けるものとなっている。この操作表示部が入力操作装置に相当する。
【００４７】
充電部４４は、スマートキー３０が接続端子部４１に電気的に接続されている状態で、スマートキー３０の電源部に対して充電を実行する。
【００４８】
図３にはスマートキーステーション４０の概略構成を示す。図３に示すように、スマートキーステーション４０は、直方体状の筐体１０１を有し、その筐体１０１の上面には複数の挿入スロット１０２（キー装着部に相当）が形成されている。各挿入スロット１０２にはスマートキー３０が挿入可能となっており、挿入スロット１０２にスマートキー３０が挿入（装着）されることで、スマートキー３０とスマートキーステーション４０との電気的な接続がされるようになっている。各挿入スロット１０２には「１，２，３，４」等のスロット番号が付されている。挿入スロット１０２内に接続端子部４１が設けられている。なお、各挿入スロット１０２は、住宅内におけるスマートキー３０の保管場所にもなっている。
【００４９】
筐体１０１の前面には、上述した操作表示部４３を構成するタッチパネルディスプレイ１０３が設けられている。
【００５０】
図１の説明に戻り、中継操作盤５０は、マイクロコンピュータ等を有してなる制御部５１と、タッチパネル等よりなる操作表示部５２とを備えている。中継操作盤５０は、例えば各部屋に設けられる照明スイッチパネルに一体に設けられる。制御部５１は、スマートキーステーション４０の制御部４２からの制御指令信号に基づいて各種制御を行うものであり、同指令信号に基づいて、当該中継操作盤５０に接続されているそれぞれの機器群Ａ〜Ｃを対象として運転制御を実行する。
【００５１】
また、操作表示部５２は、タッチパネルディスプレイに操作メニューや住宅内の間取り図を表示するとともに、そのタッチパネルディスプレイの画面タッチに伴いユーザによる入力操作を受け付けるものとなっている。
【００５２】
機器群Ａ〜Ｃは、いずれか１つの中継操作盤５０と同じ部屋、又は同中継操作盤５０を含む同一エリアに設置される機器を同一群として分類される制御対象機器であり、例えば機器群Ａには機器Ａ１，Ａ２，Ａ３が含まれ、機器群Ｂには機器Ｂ１，Ｂ２，Ｂ３が含まれ、機器群Ｃには機器Ｃ１，Ｃ２，Ｃ３が含まれる。
【００５３】
図２には、住宅内におけるホームネットワークシステムの具体的構成例を示す。図２において、住宅の玄関部Ｒ１には、スマートキーステーション４０が設置されており、部屋Ｒ２，Ｒ３にはそれぞれ中継操作盤５０が設置されている。また、部屋Ｒ２には、機器Ａ１〜Ａ３として、照明機器（Ａ１）、エアコン（Ａ２）、テレビ（Ａ３）が設置され、部屋Ｒ３には、機器Ｂ１〜Ｂ３として、照明機器（Ｂ１）、エアコン（Ｂ２）、テレビ（Ｂ３）が設置されている。その他、機器としてオーディオ機器等が設置されていてもよい。なお、１つの中継操作盤５０で統括管理される機器群は、同じ部屋内に存在する機器だけでなく、周辺エリア内に存在する機器を含んでもよい。
【００５４】
各部屋の機器は、ユーザが他の部屋から移動してくるまでの待機期間においてスマートキーステーション４０からの指令に従い待機運転状態とされるとともに、ユーザが到着した後は同スマートキーステーション４０からの指令に基づいて運転状態が制御される。具体的には、照明機器に関しては明るさが自動調整される。エアコン（空調装置）に関しては、冷房、暖房、除湿等の運転モードや、室内温度、風量等が自動調整される。テレビに関しては、電源のオン／オフや音量、番組チャンネル等が自動調整される。
【００５５】
次に、スマートキーステーション４０の機能について詳細に説明する。
【００５６】
（１）ネットワークユーザＩＤの生成機能
ユーザがスマートキー３０を携帯して使用する場合には、同スマートキー３０のメモリ３２に記憶されている「スマートユーザＩＤ」が有効化されるのに対し、スマートキーステーション４０にスマートキー３０を装着した場合には、同スマートキー３０のスマートユーザＩＤが無効化され、その代わりにスマートキーステーション４０において「ネットワークユーザＩＤ」が有効化される。
【００５７】
例えば、ユーザが外出先から帰宅してスマートキー３０をスマートキーステーション４０に装着した場合に、ネットワークユーザＩＤが生成される。そのネットワークユーザＩＤの生成に関する具体的動作を図４に基づいて説明する。図４には、スマートキー３０側の動作とスマートキーステーション４０側の動作とを左右に分けて図示している。
【００５８】
図４に示すように、スマートキー３０がスマートキーステーション４０に装着されると（Ｓ１１）、それをスマートキーステーション４０側で認識し、スマートキー３０のメモリ３２に記憶されているデバイスＩＤとスマートユーザＩＤとを読み取る（Ｓ１２）。
【００５９】
その後、それらデバイスＩＤとスマートユーザＩＤとに基づいてスマートキー３０の認証を行う（Ｓ１３）。このとき、デバイスＩＤ及びスマートユーザＩＤがスマートキーステーション４０側で登録されている正規ＩＤであるか否かを判定し、正規ＩＤであれば、スマートユーザＩＤに基づいてユーザを特定する（Ｓ１４）。また、その特定したユーザに対応づけてネットワークユーザＩＤを生成する（Ｓ１５）。これにより、ホームネットワーク上においてネットワークユーザＩＤが有効化される。
【００６０】
これに引き続き、スマートキーステーション４０からスマートキー３０への指令により、スマートキー３０においてメモリ３２に記憶されているスマートユーザＩＤを消去する（Ｓ１７）。これにより、スマートユーザＩＤが無効化され、スマートキー３０による対応機器の無線操作が不可の状態となる。
【００６１】
デバイスＩＤ及びスマートユーザＩＤが正規ＩＤでない場合には、処理を中断し、その旨をユーザに通知する（Ｓ１６）。具体的には、操作表示部４３にエラーメッセージを表示する。
【００６２】
なお、上記図４に示すスマートキーステーション４０の各動作（Ｓ１２〜Ｓ１６）は、同スマートキーステーション４０の制御部４２により実現される。
【００６３】
（２）機器制御機能
上記のごとくネットワークユーザＩＤが生成された状態では、スマートキーステーション４０を中枢として、各中継操作盤５０を介して住宅内の各機器の自動制御が実行される。その詳細を説明する。
【００６４】
例えば、ユーザが、玄関部Ｒ１でスマートキー３０をスマートキーステーション４０に装着した直後に部屋Ｒ２，Ｒ３等に移動する場合を想定する。かかる場合、スマートキーステーション４０の表示操作部４３に対するユーザの入力操作によりユーザの移動先指定が行われると、スマートキーステーション４０が、その移動先（例えば部屋Ｒ２又はＲ３）の中継操作盤５０に対して制御指令信号を送信する。このとき、制御指令信号には、スマートキー３０においてスマートキーステーション４０に装着する以前に取得された情報、特に部屋Ｒ２，Ｒ３等の機器の運転に関する現時点以前の履歴情報が含まれる。例えば、部屋Ｒ２，Ｒ３等にエアコンやオーディオ機器が設置されている場合に、自動車内のエアコンの設定温度や、自動車内で視聴していた楽曲などの情報が送信される。なお、表示操作部４３には住宅の間取り図が表示され、その間取り図上の所定の部屋をタッチすることで、移動先が選択指定される。
【００６５】
そして、中継操作盤５０は、スマートキーステーション４０からの制御指令信号に基づいて各機器を制御する。このとき、中継操作盤５０は、ユーザが到着するまでの間において各機器を待機状態にしたり、ユーザの到着後、そのユーザに合わせた運転制御を実行したりする。
【００６６】
スマートキー３０から送信される情報（例えば自動車内で取得した運転履歴情報）を各機器の運転制御に利用することにより、ユーザがスマートキー３０を携帯して使用し、その後、同スマートキー３０をスマートキーステーション４０に装着する場合において、スマートキー携帯時と同じ状況で設備機器を運転させることが可能となる。
【００６７】
なお、ユーザごとに行動パターンに登録しておき、その行動パターンに合わせて移動先の部屋を自動で（すなわち、ユーザの入力操作無しで）指定することも可能である。例えば、行動パターンとして時間帯に応じて移動先を定めておき、帰宅時間であれば、自分の部屋を移動先として指定する。
【００６８】
一方、ユーザが、ある部屋（移動元の部屋）から他の部屋（移動先の部屋）へ移動する場合を想定する。かかる場合、移動元の部屋内において中継操作盤５０の表示操作部５２に対するユーザの入力操作によりユーザの移動先指定が行われると、その移動先指定がスマートキーステーション４０の制御部４２にて認識され、スマートキーステーション４０は、移動元の部屋における各機器の運転状態等を取得し履歴情報として記憶する。なお、表示操作部５２には住宅の間取り図が表示され、その間取り図上の所定の部屋をタッチすることで、移動先が選択指定される。中継操作盤５０が各部屋の照明スイッチパネルに一体化されている場合には、その照明スイッチパネルで部屋の照明を操作する際に今後の移動先が指定される。
【００６９】
そして、同スマートキーステーション４０が、移動先の部屋の中継操作盤５０に対して制御指令信号を送信する。このとき、制御指令信号には、移動元の部屋における機器（照明器具やエアコン等）の運転状態に関する履歴情報が含まれる。移動先の中継操作盤５０では、スマートキーステーション４０からの制御指令信号（移動元の部屋における機器運転状態を含む）に応じて各機器を制御する。このとき、中継操作盤５０は、ユーザが到着するまでの間において各機器を待機状態にしたり、ユーザの到着後、そのユーザに合わせた運転制御を実行したりする。
【００７０】
移動元の部屋における機器運転状態に関する履歴情報を、移動先の部屋における機器の運転制御に利用することにより、ユーザが住宅内の部屋間を移動したりする場合に、移動先の部屋等で移動元の部屋等と同じ状況で設備機器を運転させることが可能となる。
【００７１】
図５は、スマートキーステーション４０の制御部４２により実行される機器制御の手順を示すフローチャートである。
【００７２】
図５では、まずスマートキーステーション４０の操作表示部４３又は中継操作盤５０の操作表示部５２のいずれかにおいて、ユーザの部屋移動に伴う移動先指定が行われたか否かを判定する（Ｓ２１）。また、ホームネットワーク上でネットワークユーザＩＤが有効となっているユーザ（特定ユーザ）からの指示であるか否かを判定する（Ｓ２２）。このとき、例えば、ネットワークユーザＩＤに対応するユーザがいる筈の部屋からの指示であれば、特定ユーザからの指示である旨判定する。
【００７３】
そして、移動先指定が行われており、かつ特定ユーザからの指示であると判定された場合には、ユーザが現在いる部屋（移動元の部屋）の機器運転情報を記憶する（Ｓ２３）。例えば、照明器具が使用されている場合には、照明の明るさが記憶される。エアコンが使用されている場合には、運転モード（冷房、暖房、除湿等）や設定温度等が記憶される。テレビが使用されている場合には、受信チャンネルや音量等が記憶される。
【００７４】
その後、移動先の部屋の中継操作盤５０に対して、移動元の部屋の機器についての履歴情報を送信する（Ｓ２４）。
【００７５】
上記のようにスマートキーステーション４０から移動先の部屋の中継操作盤５０に対して、移動元の部屋の機器についての履歴情報が送信されると、その中継操作盤５０は、スマートキーステーション４０からの同履歴情報に基づいて機器制御を実行する。これにより、例えば、移動先の部屋の機器運転状態が移動元の部屋の機器運転状態と同じ状態に調整される。固有の機器については、待機状態への移行などあらかじめ設定された状態に調整される。例えば、照明器具の明るさが同じ明るさに調整されたり、エアコンが同じ設定温度で運転されたり、テレビが同じ番組チャンネルとされたりする。なお、移動元の部屋については、一定時間後に照明や待機電力を切断する。
【００７６】
（３）優先順序判定機能
ユーザの移動先として指定された部屋（又はエリア）に既に他のユーザがいることも考えられる。かかる場合、既に部屋内にいる他のユーザを優先して各機器の制御を実行する。これにより、該当する部屋等に先にいるユーザが優先されるため、その先のユーザが望む状態を維持することができる。
【００７７】
また、ユーザの移動先として指定された部屋（又はエリア）に既に他のユーザがいる場合に、あらかじめ定めたユーザごとの優先順位に基づいて設備機器の制御を実行する。これにより、優先上位のユーザを優先して設備機器を運転させることができ、その優先上位のユーザが望む状態を維持することができる。
【００７８】
上記のように優先順位を都度判定することにより、複数のユーザが同じ部屋又はエリアにいる場合にも、設備機器を混乱無く制御することができる。
【００７９】
（４）スマートユーザＩＤの再登録
例えば、ユーザが外出する際にスマートキー３０をスマートキーステーション４０から持ち出す場合には、スマートキー３０のメモリ３２にスマートユーザＩＤが再登録（ダウンロード）される。そのスマートユーザＩＤの再登録に関する具体的動作を図６に基づいて説明する。図６には、スマートキー３０側の動作とスマートキーステーション４０側の動作とを左右に分けて図示している。
【００８０】
図６において、スマートキーステーション４０の操作表示部４３に対するユーザの入力操作により移動先が「外出」に指定されると（Ｓ３１がＹＥＳ）、ユーザが現在いる部屋（移動元の部屋）の機器運転情報を履歴情報として記憶する（Ｓ３２）。例えば、照明器具が使用されている場合には、照明の明るさが記憶される。エアコンが使用されている場合には、運転モード（冷房、暖房、除湿等）や設定温度等が記憶される。テレビが使用されている場合には、受信チャンネルや音量等が記憶される。
【００８１】
その後、ネットワークユーザＩＤを消去する（Ｓ３３）。これにより、ホームネットワーク上においてネットワークユーザＩＤが無効化される。また、そのネットワークユーザＩＤに対応づけられていたスマートユーザＩＤを特定する（Ｓ３４）。
【００８２】
その後、ユーザがこれから使おうとしているスマートキー３０を指定する（Ｓ３５）。これは、例えばスマートキーステーション４０の複数の挿入スロット１０２（図３参照）について、ユーザがスロット番号を指定することで行われる。つまり、スマートキー３０の指定機能を有することで、ユーザの好み等に応じて、使用するスマートキー３０を都度変更することが可能となっている。
【００８３】
そして、スマートキーステーション４０からスマートキー３０（今回使用するスマートキー３０）に対して、スマートユーザＩＤ（Ｓ３４で特定したスマートユーザＩＤ）のダウンロードが指令される。この指令に伴い、スマートキー３０ではメモリ３２にスマートユーザＩＤが新たに書き込まれる（Ｓ３６）。これにより、スマートユーザＩＤが有効化され、そのスマートキー３０が使用可能となる。
【００８４】
上記のように複数のスマートキー３０から１つを選択できる構成では、例えば、形状、色、機能等が異なる複数のスマートキー３０が存在する場合において、スマートユーザＩＤを変えることなく（すなわち、同一のスマートユーザＩＤを使いながら）、各スマートキー３０を都度使い分けることができる。
【００８５】
上記のように機器の運転履歴がスマートキーステーション４０に記憶されることにより、例えば、ユーザが外出先から帰宅した後に、部屋内の機器を外出前と同じ状況で運転させることが可能となる。
【００８６】
ここで、スマートキー３０にスマートユーザＩＤをダウンロードする際、それに合わせて、スマートキーステーション４０で記憶された機器の履歴情報を、スマートキー３０に送信する構成としてもよい。これにより、スマートキー３０を使って住宅内の機器の履歴情報を外部に持ち出すことができ、自動車などのスマートキー対応機器において、住宅内の部屋と同じ状況で機器を運転させることができる。
【００８７】
また、スマートキーステーション４０に無線通信機能を持たせ、スマートキー３０からの要求（無線要求）に応じて、スマートキーステーション４０からスマートキー３０に対して、スマートキーステーション４０で記憶された機器の履歴情報を送信する構成としてもよい。本構成においても、自動車などのスマートキー対応機器において、住宅内の部屋と同じ状況で機器を運転させることができる。
【００８８】
（５）スマートキー充電機能
スマートキーステーション４０にスマートキー３０が接続されている状態で、スマートキーステーション４０側でスマートキー３０の電源部の残存電気量を検出し、その残存電気量が所定レベル以下であれば、スマートキー３０の電源部に対して充電を実行する。なお、ユーザの入力操作により「充電」が選択された場合にも、同様にスマートキー３０の電源部に対して充電が行われる。
【００８９】
（６）新規購入時のＩＤ登録機能
携帯通信デバイスとしてのスマートキー３０を新規に購入した場合には、そのスマートキー３０のメモリ３２に、キー固有情報としてのデバイスＩＤと、ユーザ識別情報としてのスマートユーザＩＤとがいずれも記憶されていない。以下に、デバイスＩＤとスマートユーザＩＤとの登録手順を示す。
【００９０】
（６−１）デバイスＩＤの登録
スマートキー３０を購入後、そのスマートキー３０をスマートキーステーション４０の挿入スロット１０２に装着する。そして、表示操作部４３（タッチパネルディスプレイ１０３）への入力操作に伴いスマートキーステーション４０をＩＤ登録モードとし、その状態でスマートキー３０のメモリ３２にデバイスＩＤを登録する（書き込む）。デバイスＩＤは、ユーザの入力操作に伴い登録され、以後更新されない。
【００９１】
また、スマートキー対応機器に対して、新たに登録したデバイスＩＤを展開する。具体的には、スマートキーステーション４０に設けられた展開ボタンの押下により、デバイスＩＤをスマートキー対応機器に展開する。そしてその後、スマートキーステーション４０のＩＤ登録モードを終了する。
【００９２】
（６−２）スマートユーザＩＤの登録
スマートユーザＩＤは、インターネットを通じての登録操作、又はＩＤ販売店での登録操作によりＩＤ管理センタから必要数購入される。
【００９３】
インターネット接続環境がある場合、スマートキー３０をスマートキーステーション４０の挿入スロット１０２に装着するとともに、インターネットを通じてＩＤ管理センタに通信回線を接続し、その状態で、表示操作部４３（タッチパネルディスプレイ１０３）への入力操作に伴いスマートキーステーション４０をＩＤ登録モードとする。そして、ＩＤ購入代金の支払いなどを行った上で、スマートキー３０のメモリ３２にスマートユーザＩＤを登録する（書き込む）。このとき、複数のスマートユーザＩＤを購入することが可能である。スマートユーザＩＤは、メモリ３２の書き換え可能領域に書き込まれる。
【００９４】
また、スマートキー対応機器に対して、新たに登録したスマートユーザＩＤを展開する。具体的には、スマートキーステーション４０に設けられた展開ボタンの押下により、スマートユーザＩＤをスマートキー対応機器に展開する。そしてその後、スマートキーステーション４０のＩＤ登録モードを終了する。
【００９５】
なお、デバイスＩＤ及びスマートユーザＩＤを追加する場合にも上記と同様の処置が行われる。デバイスＩＤとスマートユーザＩＤについて、購入、登録、スマートキー対応機器への展開をまとめて行うことも可能である。
【００９６】
また、インターネット接続環境がない場合は、販売店にて上記と同様の操作を行い、デバイスＩＤとスマートユーザＩＤとを登録する。
【００９７】
スマートキーステーション４０では、デバイスＩＤ及びスマートユーザＩＤをいずれも管理し、両ＩＤが正規ＩＤであると認識される場合のみ使用可能とする。
【００９８】
以上詳述した本実施形態によれば、以下の優れた効果が得られる。
【００９９】
スマートキー３０がスマートキーステーション４０に装着されてこれら両者が電気的に接続された状態で、スマートキー３０に記憶されているスマートユーザＩＤを基にネットワークユーザＩＤを生成し、そのネットワークユーザＩＤを基に各機器の運転制御を実行する構成としたため、住宅内においてスマートキー３０をユーザが持ち歩かなくても、通信ネットワークを通じて各機器の運転制御を実行することができる。これにより、住宅内の各機器を使用する際において、利便性を大いに向上させることができる。ネットワークユーザＩＤは、スマートユーザＩＤと同様に、ユーザ個人を特定するものであり、当該ユーザに合わせた機器制御が実現できる。
【０１００】
また、スマートキー３０を利用して住宅内の各機器の運転制御を実行しようとする場合、機器ごとに、スマートキー３０との無線通信を可能とする無線通信機能を付加する必要が生じるが、本実施形態の構成によれば、こうした付加的な構成を設けなくとも、所望とする設備機器の運転制御が実現できる。
【０１０１】
スマートキーステーション４０においてネットワークユーザＩＤを生成する際、スマートキー３０に記憶されているスマートユーザＩＤを無効化する構成としたため、ネットワークユーザＩＤの生成後において同一ユーザを特定する２つの情報（スマートユーザＩＤ、ネットワークユーザＩＤ）が同時に有効になることはなく、情報管理が不十分になるといった不都合が解消される。例えば、仮にスマートユーザＩＤが有効なままスマートキー３０が紛失したりしても、そのスマートキー３０の悪用や情報の漏洩を抑制できる。
【０１０２】
スマートユーザＩＤの再登録時には、ネットワークユーザＩＤを無効化するとともに、その無効化するネットワークユーザＩＤに対応するスマートユーザＩＤをスマートキー３０に再登録（ダウンロード）する構成としたため、スマートユーザＩＤの再登録後において同一ユーザを特定する２つの情報（スマートユーザＩＤ、ネットワークユーザＩＤ）が同時に有効になることはなく、情報管理が不十分になるといった不都合が解消される。また、スマートユーザＩＤを再登録する際、同ユーザＩＤはネットワークユーザＩＤに対応するものであるため、再登録後のスマートユーザＩＤを同一ユーザで不変（同一ＩＤ）にすることができる。これにより、スマートユーザＩＤに付随する各種情報（ユーザが使用した機器の運転履歴等）を適正に使い回すことができる。
【０１０３】
スマートユーザＩＤの再登録時において、複数のスマートキー３０から１つを指定（選択）し、その指定したスマートキー３０に対してスマートユーザＩＤを再登録する構成としたため、複数のスマートキー３０からユーザが望むものを都度選択して使用することが可能となる。
【０１０４】
ユーザが移動先を指定して部屋間を移動する際、移動先の部屋の中継操作盤５０に対して機器の運転に関する履歴情報を送信し、移動先の部屋ではその履歴情報に基づいて機器制御を実行する構成としたため、移動先の部屋において移動元の部屋と同様の状態で設備機器を運転させることができる。これにより、ユーザにとっての利便性を大いに向上させることができる。
【０１０５】
移動先の部屋では、ユーザが到着するまで機器が待機運転状態とされるため、移動先の部屋にユーザが到着した時点で、すぐさま機器を所望の状態で運転させることが可能となり、快適性が大いに高められる。
【０１０６】
（第２の実施形態）
例えば浴室やサウナルームは、高温多湿であってスマートキー３０の持ち込みが不適な環境であると言える。したがって、これら浴室やサウナルームでは、防水構造等を有していないスマートキー３０を持ち込むことができず、そのスマートキー３０を用いた機器の自動制御が実行できない。この点、上記のホームネットワークシステムを使えば、浴室やサウナルームなどにスマートキー３０を持ち込む必要が無く、スマートキー３０を使わなくても所望とする機器制御を実現できる。図７は、浴室内の設備機器を制御対象とした場合のシステム構成図である。
【０１０７】
図７において、スマートキーステーション４０には、浴室用の中継操作盤８０がネットワーク線Ｌ１により接続されており、その中継操作盤８０には、浴室内に設置された各種の設備機器がネットワーク線Ｌ２により接続されている。浴室内の設備機器としては、照明器具Ｙ１、給湯設備Ｙ２、テレビＹ３、暖房設備Ｙ４、換気扇Ｙ５、可動式の手摺り設備（補助具）Ｙ６、昇降式のカウンタ設備Ｙ７などがある。
【０１０８】
上記構成において、スマートキー３０がスマートキーステーション４０に装着されてネットワークユーザＩＤが生成され、かつユーザの移動先が「浴室」と指定された場合に、浴室用の中継操作盤８０を通じて、浴室内の設備機器について運転制御が実行される。以下、本実施形態における各機能を説明する。
【０１０９】
（１）ユーザ個別制御機能
浴室を利用しようとするユーザに合わせて各機器を制御する。つまり、スマートキーステーション４０の制御部４２に、ユーザごとに身体情報や嗜好情報を記憶しておき、それらの情報に基づいて各機器の運転状態を制御する。より具体的には、浴室用の中継操作盤８０に、身体情報として、身長、体重、障害の有無などを登録するとともに、嗜好情報として、好みの湯温、好みの湯量、好みのテレビ番組、好みの手摺り位置、好みのカウンタ高さなどを登録しておく。そして、ユーザの移動先が「浴室」と指定された場合には、ユーザごとの身体情報や嗜好情報に基づいて各機器の運転状態を制御する。なお、各機器を作動させる際には、音声アナウンス等の案内を行うとよい。
【０１１０】
かかる場合、ユーザ（ネットワークユーザＩＤから特定されるユーザ）の身体情報や嗜好情報に基づいて、照明の明るさ、湯温、湯量、手摺り高さ、カウンタ高さ等が自動で調整される。
【０１１１】
特に、ユーザが車椅子利用者である場合には、手摺り設備Ｙ６を自動で作動させ、当該ユーザにとって最適な位置まで手摺りを移動させる、又は、カウンタ設備Ｙ７を自動で作動させ、当該ユーザにとって最適な高さまでカウンタを昇降させる。その他、車椅子利用スペースを確保すべく、浴室の間仕切り壁を移動させる構成とすることも可能である（介助人が一緒の場合にはその分広めにすることも可能）。
【０１１２】
ユーザが高齢者である場合には、脱衣室と浴室との温度差を減らすよう温度調整を行ったり、手足を滑らせないよう手摺りや床を乾燥させたりする。また、高齢者が浴室に入ってからの経過時間（移動先が浴室に指定されてからの経過時間でも可）を計測し、その経過時間（入浴時間）が一定時間を超えると、他の部屋で音声等による通知が行われる構成でもよい。なお、入室は浴室出入り口に設けた人感センサにより検出するとよい。
【０１１３】
その他、ユーザが子供、高齢者である場合には、浴室ドアを自動で施錠したり、浴槽蓋を閉じたままにしたりしてもよい。又は、一定温度以上の湯が出なくなる等の制御を行ってもよい。
【０１１４】
なお、ユーザごとの身体情報や嗜好情報に加えて、時間帯情報、天候情報、使用頻度情報に基づいて各機器の運転状態を制御することも可能である。
【０１１５】
（２）複数ユーザの重複利用時の調停機能
複数のユーザの移動先が「浴室」と重複指定されることも考えられる。例えば、幼児と親とが一緒に入浴する場合や、障害を有するユーザが介助者と一緒に入浴する場合などが考えられる。かかる場合、同じ移動先を指定した状態で複数のネットワークユーザＩＤが共存することになるが、所定の調停ルールに従い機器制御が実行される。かかる場合の調停機能について以下に例示する。
【０１１６】
（２−１）あらかじめ定められた優先順序に基づいて各機器の運転状態を制御する。この場合、優先上位者の設定（ユーザごとの、各機器の運転状態に関する要求）に合わせて制御を実行する。優先順位は、高齢者や車椅子利用者等が優先上位とされることが望ましい。なお、優先順位はユーザの入力操作等により適宜変更が可能である。
【０１１７】
（２−２）浴室の先の利用者を優先して各機器の運転状態を制御する。この場合、既に他のユーザが浴室を利用している場合には、移動先として浴室が指定できないようにしてもよい。ただし、緊急の事態（浴室内のある部位に強い衝撃が与えられた場合、機器の故障が発生した場合等）が発生した場合、又は所定の入浴目安時間よりも長い時間継続して浴室内に人がいる場合は、後のユーザの利用を可能とする。入浴目安時間をユーザごとにあらかじめ登録しておくとともに、その入浴目安時間を逐次学習する構成としてもよい。
【０１１８】
（２−３）複数のユーザの設定（ユーザごとの、各機器の運転状態に関する要求）の平均値を求め、その平均値により各機器の運転状態を制御する。又は、一方のユーザの設定（例えば優先下位者の設定）から他方のユーザの設定（例えば優先上位者の設定）に、各機器の運転状態を徐々に変更することも可能である。
【０１１９】
（３）各種運転モードの設定機能
複数の運転モードを定めておき、ユーザによるモード設定（スマートキーステーション４０又は中継操作盤８０の入力操作）に応じて各機器の運転状態を制御する。なお、以下の各運転モードで使用する機器であって図７に図示していない機器も、図７に示す機器Ｙ１〜Ｙ７と同じく、中継操作盤８０を介して運転状態が制御される。
【０１２０】
「掃除モード」…各機器を掃除しやすい状態に制御する。また、前日に計測した入浴人数、利用時間に基づいて掃除に使う水や洗剤の量を設定する。長期的な管理により、シャンプーや石けんなどの補充時期、換気扇、テレビ等の掃除やメンテナンスの必要性等を知らせるようにしてもよい。
【０１２１】
「省エネモード」…ユーザごとに入浴時に使った湯の量や、湯沸かし等で使ったガス・電気等の燃料の量を計測・管理する。この場合、ユーザ（住人）単位でエネルギ消費が管理できる。そして、ユーザごとにエネルギ消費が過剰な場合には警告をしたり、エネルギ効率が最も良い入浴順序を求め、その入浴順序で各ユーザに入浴させるようにしたりしてもよい。
【０１２２】
「美容モード」…ミスト発生器からミストを出したり、半身浴やトリートメント、パックに適した室温・湯温・湯量に調整したりする。
【０１２３】
「リラックスモード」…音響装置から音楽を流したり、ミスト発生器からミストを出したり、照明器具の照度を低照度に調整したりする。
【０１２４】
「疲労回復モード」…噴流発生装置を作動させて浴槽内に噴流を発生させたり、気泡発生装置を作動させて浴槽内に気泡を発生させたり、マッサージ装置を作動させてマッサージを行わせたりする。また、入浴剤投入装置を作動させて入浴剤を適宜投入する。
【０１２５】
「読書モード」…照明器具の照度を読書に適した照度に調整したり、読書台移動装置を駆動させて読書台を浴槽上方に移動させたりする。
【０１２６】
「健康管理モード」…身体情報計測装置を用い、ユーザの身体に触れる部分から身長、体重、体脂肪、脈拍、体温、骨密度等の計測を行い、その時の体調を記憶するとともにユーザに通知する。浴室はほぼ毎日使用するため、日々の変化を記録し、長期的な健康管理を行うことができるというメリットがある。
【０１２７】
なお、健康管理モードで計測された情報は、他の部屋等の機器制御において利用されるとよい。例えば、キッチン内の機器に送信し、制限カロリやメニュー等を知らせる。居室でエアコンの制御や睡眠のための照明制御を行う。運動機器に必要時間や負荷のデータ等を与える。また、住宅外機器の使用例として、歩数計で身体情報・摂取カロリに合わせて距離を設定する。走行距離計測機能付きの自転車においてその走行距離を設定する。
【０１２８】
上記の各運転モードをユーザごとにあらかじめ対応づけておき、特定のユーザであれば自動でその運転モードに移行する構成であってもよい。
【０１２９】
（他の実施形態）
本発明は上記実施形態の記載内容に限定されず、例えば次のように実施されても良い。
【０１３０】
上記実施形態では、スマートキーステーション４０を住宅の玄関部に設置したが、これを変更し、例えばリビング等、家族全員が集まりやすい場所に設置してもよい。また、浴室の入口（脱衣室）など、スマートキー３０の持ち込みが不適な部屋又はエリアの入口部にスマートキーステーション４０を設置してもよい。スマートキーステーション４０を住宅内において複数箇所に設置することも可能である。
【０１３１】
スマートキーステーション４０又は中継操作盤５０の少なくとも一方に、ユーザの生体情報を取得し、同生体情報に基づいてユーザの認証を行う生体認証手段を設ける構成であってもよい。かかる構成では、スマートキー３０（携帯通信デバイス）を使わなくてもユーザの認証が可能となるため、例えば移動先の部屋又はエリアにおいて、移動先の指定操作を誰が操作したかを容易にかつ確実に特定できる。
【０１３２】
スマートキー３０がスマートキーステーション４０に装着されてネットワークユーザＩＤが生成され、かつユーザの移動先が「キッチン」と指定された場合において、ユーザが大人であれば、ガスコンロ等の加熱調理器を使用可能とし、ユーザが子供であれば、同加熱調理器を使用不可とすることも可能である。
【０１３３】
上記実施形態では、スマートキーステーション４０の挿入スロットにスマートキー３０を挿入することでスマートキーステーション４０とスマートキー３０とを電気的に接続し、その状態でネットワークユーザＩＤの生成や住宅内機器の運転制御等を実行する構成としたが、これを変更する。例えば、スマートキーステーション４０に近距離通信装置を設け、スマートキー３０をその近距離通信装置の装着プレート上に装着（設置）することでスマートキーステーション４０とスマートキー３０との通信を可能とする。そして、かかる状態で、ネットワークユーザＩＤの生成や住宅内機器の運転制御等を実行する。
【０１３４】
携帯通信デバイスとして、スマートキー３０以外に他のデバイスを用いることが可能である。例えば、日常的に使用される携帯電話を携帯通信デバイスとして用いたり、通信機能を有するＩＣカードを携帯通信デバイスとして用いたりすることも可能である。
【０１３５】
本発明を戸建て住宅用のホームネットワークシステムに適用する以外に、マンションなどの集合住宅のネットワークシステムに適用することも可能である。また、住宅以外の建物にも適用可能である。
【図面の簡単な説明】
【０１３６】
【図１】住宅内のネットワークシステムの概要を示す図。
【図２】ネットワークシステムの具体的構成例を示す図。
【図３】スマートキーステーションの概略構成を示す図。
【図４】ネットワークユーザＩＤの生成に関する具体的動作を説明するための図。
【図５】スマートキーステーションの制御部により実行される機器制御の手順を示すフローチャート。
【図６】スマートユーザＩＤの再登録に関する具体的動作を説明するための図。
【図７】浴室内の設備機器を制御対象とした場合のシステム構成図。
【符号の説明】
【０１３７】
１０…玄関ドアロック装置、２０…車両ドアロック装置、３０…スマートキー（携帯通信デバイス）、３２…メモリ、４０…スマートキーステーション（デバイス装着装置、情報取得手段、情報生成手段、再登録手段）、５０…中継操作盤（中継装置）、Ａ１〜Ａ３等…機器、Ｌ１，Ｌ２…ネットワーク線。
【図１】
0004959455.tif 000002
【図２】
0004959455.tif 000003
【図３】
0004959455.tif 000004
【図４】
0004959455.tif 000005
【図５】
0004959455.tif 000006
【図６】
0004959455.tif 000007
【図７】
0004959455.tif 000008